(57)【要約】【課題】  この発明は、放置自転車を可及的小労力で管理し、罰金を課すことにより、放置自転車の低減を目的としたものである。【解決手段】  この発明は、放置自転車に施錠すると共に、携帯端末で特定情報を入力したカードキーを、前記自転車又は錠に取付けておき、前記錠の解錠には、錠又はカードキーに記載された解錠の取扱説明に従って錠代金を含む所定の料金を支払い、前記カードキーを解読端末器にかけて、該カードキーに解錠情報を入力し、前記カードキーを使って解錠後、前記錠とカードキーを返却して、仮払いした錠代金を受け取ることを特徴とした放置自転車の管理方法により目的を達成した。【選択図】  図１
2006163920.tif 000002
【特許請求の範囲】
【請求項１】
放置自転車に施錠すると共に、携帯端末で特定情報を入力したカードキーを、前記自転車又は錠に取付けておき、前記錠の解錠には、錠又はカードキーに記載された解錠の取扱説明に従って錠代金を含む所定の料金を支払い、前記カードキーを解読端末器にかけて、該カードキーに解錠情報を入力し、前記カードキーを使って解錠後、前記錠とカードキーを返却して、仮払いした錠代金を受け取ることを特徴とした放置自転車の管理方法。
【請求項２】
放置自転車に施錠すると共に、携帯端末で特定情報を入力した指示票を前記自転車又は錠に取付けておき、前記錠の解錠には、錠又は指示票に記載された解錠の取扱説明に従って錠代金を含む所定の料金を支払って、鍵を受取り、この鍵を使って解錠後、前記錠と、鍵を返却して、仮払いした錠代金を受け取ることを特徴とした放置自転車の管理方法。
【請求項３】
特定情報は、施錠場所、施錠時間、自転車番号、及び錠情報としたことを特徴とする請求項１又は２記載の放置自転車の管理方法。
【請求項４】
錠情報は、錠の番号と型式とすることを特徴とした請求項３記載の放置自転車の管理方法。
【請求項５】
指示票は、接着層を有し、かつ説明を書くことができる紙片に、ＩＣチップ又はＩＣタグを組み込んだことを特徴とする請求項２記載の放置自転車の管理方法。
【請求項６】
自転車の車輪の回転を阻止できる錠具と、自転車及び錠の特定情報を入力し、解錠手段の説明があるカードキー又は指示票とを組み合せたことを特徴とする放置自転車の管理具。
【請求項７】
カードキーは、解錠情報を入力又は消却できる電子キーとしたことを特徴とする請求項６記載の放置自転車の管理具。
【請求項８】
指示票は、取扱い事項が印刷してあると共に、情報蓄積用のＩＣチップ又はＩＣタグを有し、かつ貼着可能に構成したことを特徴とする請求項６記載の放置自転車の管理具。
【発明の詳細な説明】
【技術分野】
【０００１】
この発明は、駐輪禁止区域に放置された自転車から罰金を徴収することにより、放置行為を終息させることを目的とした放置自転車の管理方法及び管理具に関す。
【背景技術】
【０００２】
従来駅周辺の放置禁止区域内に放置された放置自転車は、地方公共団体等の所定の係員によって撤去され、一定期間保管されるようになっており、一定期間内に持主が引取りに来た時には、持主が罰金を払って引取っている。また引取り手のない自転車は廃棄処分又はリサイクル車として再利用する。
【０００３】
また前記撤去に際しては、各自転車毎に荷札状のタグが付され、引取り時には、前記タグの記載に基づいて処理している。
【０００４】
また放置自転車に、回収日時、回収場所等の所定の回収情報を書き込んだＩＣタグを取付けて回収し、自転車の持主が引取りに来た時に、前記ＩＣタグからの情報を読み取って、ＩＣタグの費用の支払いが条件とされるようにした放置自転車の管理システムが提案されている。
【０００５】
次に放置自転車に識別票を付し、違反回数の多い自転車はこれを撤去し、これを表示し、一定期間内に持主が取りに来た際に、一定の料金を払うことを条件に、前記自転車を渡すようにした管理方法の提案がある。
【特許文献１】特開２００３−２１６７５４
【特許文献２】特開２００４−３０２８３０
【発明の開示】
【発明が解決しようとする課題】
【０００６】
前記における放置自転車は、何れも放置自転車を回収し、持主が引取りに行った時に料金を支払って引取ることになっている。このように管理者（例えば地方公共団体の係員）は、放置自転車を見つけたならば、ＩＣタグなどより識別票をつけ、引取り時に、この識別票に基づき、登録簿などに合わせて渡している。
【０００７】
前記のように、管理者は、放置自転車を回収し、登録し、引渡すなどに大きな労力と時間を必要とする問題点があった。
【課題を解決するための手段】
【０００８】
然るにこの発明は、係員はカードキー又は指示票を貼付し、施錠（符号錠の数値を含む、以下同じ）をするのみで、料金の徴収、解錠、自転車の引取りなど全て持主又は他の第三者に依頼し、罰金は確実に徴収できるようにして、前記従来の問題点を解決したのである。
【０００９】
即ちこの発明は、放置自転車に施錠すると共に、携帯端末で特定情報を入力したカードキーを、前記自転車又は錠に取付けておき、前記錠の解錠には、錠又はカードキーに記載された解錠の取扱説明に従って錠代金を含む所定の料金を支払い、前記カードキーを解読端末器にかけて、該カードキーに解錠情報を入力し、前記カードキーを使って解錠後、前記錠とカードキーを返却して、仮払いした錠代金を受け取ることを特徴とした放置自転車の管理方法であり、放置自転車に施錠すると共に、携帯端末で特定情報を入力した指示票を前記自転車又は錠に取付けておき、前記錠の解錠には、錠又は指示票に記載された解錠の取扱説明に従って錠代金を含む所定の料金を支払って、鍵を受取り、この鍵を使って解錠後、前記錠と、鍵を返却して、仮払いした錠代金を受け取ることを特徴とした放置自転車の管理方法である。また、特定情報は、施錠場所、施錠日時、自転車番号、及び錠情報としたものであり、錠情報は、錠の番号と型式とするものであり、指示票は、接着層を有し、かつ説明を書くことができる指示票に、ＩＣチップ又はＩＣタグを組み込んだものである。
【００１０】
また他の発明は、自転車の車輪の回転を阻止できる錠具と、自転車及び錠の特定情報を入力し、解錠手段の説明があるカードキー又は指示票とを組み合せたことを特徴とする放置自転車の管理具であり、カードキーは、解錠情報を入力又は消却できる電子キーとしたものであり、指示票は、取扱い事項が印刷してあると共に、情報蓄積用のＩＣチップ又はＩＣタグを有し、かつ貼着可能に構成したものである。
【００１１】
前記において一定期間（例えば７日〜１０日位）経過しても持主が現れない場合には、撤収して一定の場所に止めておき、更に一定期間経過したならば、廃棄処分又は、リサイクル車として再利用する。
【００１２】
この発明においては当初錠代金を預かり、錠が返された時に、仮払い錠代金を返却するので、自転車の持主は、罰金のみが負担となる。
【００１３】
然し乍ら罰金３，０００円では、これを払うようりも自転車を買うという意見もあるので、罰金の適正額は、今後前記のような例示数が多くなるにつれて自ら決まるものと思われる。
【００１４】
前記、この発明は、根本的解決にはならないが、次善の策として大いに役立つものである。またカードキーを使用し、自動機で処理できれば、一層簡便となる。
【発明の効果】
【００１５】
この発明は、係員の最少の努力により、最大の取り締まり効果を期待することができる。この発明の管理によれば、持主が現れることにより１００％効果を発揮するが、持主が現れない場合には、一定期間放置後、廃棄処分又はリサイクル車として再利用することにより、従来と最終処分は同一になったとしても、中間で放置自転車を撤収しなくてよい利点がある。また係員の仕事は、情報の入力と施錠のみとなり、人件費の大幅な削減ができると共に、撤去自転車の保管場所を低減することができる。
【発明を実施するための最良の形態】
【００１６】
この発明は、放置自転車に、自転車の情報、発見日時、錠情報を入力したカードキーをつけて施錠する。そこで自転車の持主が、前記カードキーの指示に従って取扱所に来たならば、罰金（例えば３，０００円）と、錠・カードキー料金（例えば２，０００円）と引換えに解錠情報を入力したカードキーを渡す。自転車の持主は、カードキーで錠を開けた後、錠とカードキーを取扱い所に持参し、錠・カードキー料を受け取ることにより、終了する。
【００１７】
前記において、放置自転車に関し、比較的短時間（例えば１時間以内）であったり、最初（初犯）であった場合には、無料という取扱いができるし、幾多の例示により適切に取扱うことができる。
【実施例１】
【００１８】
この発明の実施例を図１、２について説明すると、放置された自転車１に、錠３のチェーン４を自転車１の前ホーク足５とタイヤ６に回して施錠する。前記錠３は、カードキー１５で解錠できる構造の錠であり、施錠した場合にカードキーの解錠情報は消去されており、カードキー１５は、錠３又は自転車１に付着してある。そこで持主が、解錠しようとするときには、前記カードキー１５を取扱店へ持参し、罰金と、錠及びカードキー代金を支払って、前記カードキー１５に解錠情報を入力して貰う。
【００１９】
前記カードキー１５によって解錠した後、カードキー１５と、錠を前記取扱店に届ければ、錠とカードキー代金を返してもらうことができる。
【００２０】
前記は取扱店を利用する場合について説明したが、図２中右側の自動機を利用することができる。
【００２１】
この場合には、自動機１０のカードキー挿入口１２にカードキー１５を差し込み、罰金と錠代金を払い込めば、カードキー１５には自動的に解錠情報が入力される。従って、このカードキー１５を使って解錠し、錠とカードキー１５を自動機１０の返却孔１１に投入すれば、センサーで検出し、錠と認めた場合には前記錠代金が支払口１７へ自動的に返却される。
【００２２】
図中１３は札口、１４は硬貨口、１６は表示窓である。
【実施例２】
【００２３】
この発明の実施例を、図３、４について説明すると、放置された自転車１が見つかったならば、指示票２を貼着した錠３のチェーン４を、自転車１の前ホーク足５とタイヤ６とに回して施錠する。
【００２４】
前記指示票２はそのＩＣタグ９に携帯器７によって、自転車番号、自転車１の型及び錠番号を入力した後、錠３に貼着してある。また前記指示票２の余白には、取扱い店及び必要な事項（例えばＡコンビニへ行き、この指示票２を出す）の説明文８が印刷してある。この場合に罰金３，０００円、錠・鍵代金の仮払金２，０００円のことも記載してある。
【００２５】
前記のようにして、自転車の持主が錠・鍵を渡し、仮払金（錠・鍵代金）を貰えば、この発明による放置自転車の管理を完了する。
【００２６】
前記において、取扱い店には、ＩＣタグの読み取り器を備えてあり、指示票持参者の自転車及び錠の特定ができるようにしてあるので、間違いなく、錠に合った鍵を渡すことができる。
【００２７】
前記のようにして、放置自転車の持主は罰金を払うことにより、違反しないように用心することになり、放置自転車は減少することになる。
【図面の簡単な説明】
【００２８】
【図１】（ａ）この発明の実施例の自転車の正面図、（ｂ）同じく錠の拡大正面図、（ｃ）同じく自動機の正面図。
【図２】同じくブロック図。
【図３】（ａ）同じく自転車の正面図、（ｂ）同じく錠の拡大正面図、（ｃ）同じく自動機の縮図。
【図４】同じく他の実施例のブロック図。
【符号の説明】
【００２９】
１  自転車
２  指示票
３  錠
４  チェーン
５  前ホーク足
６  タイヤ
７  携帯器
１０  自動機
【図１】
2006163920.tif 000003
【図２】
2006163920.tif 000004
【図３】
2006163920.tif 000005
【図４】
2006163920.tif 000006